(57)【特許請求の範囲】
【請求項１】
物品を保持するカートンであって、前記カートンは、
第１のパネルと、第２のパネルと、該第２のパネルに対向して配置されている第３のパネルとを含み、前記カートンの内部を少なくとも部分的に画成する複数のパネルと、
中央パネルと、前記中央パネルに折り曲げ可能に接続されている第１の内側サイドパネルと、第１の折り線に沿って前記第１の内側サイドパネルに折り曲げ可能に接続されている第１の内側フラップと、前記中央パネルに折り曲げ可能に接続されている第２の内側サイドパネルと、第２の折り線に沿って前記第２の内側サイドパネルに折り曲げ可能に接続されている第２の内側フラップとを備えるインサートと、を備え、
前記第１のパネルは少なくとも部分的に前記中央パネルに重なり、前記第１の内側サイドパネルは前記第２のパネルから離間し、前記第１の内側フラップの少なくとも一部は前記第１の内側サイドパネルから前記第２のパネルまで延在しており、
該第１の内側フラップは該第１の折り線を遮る第１のタブを備え、該第２の内側フラップは該第２の折り線を遮る第２のタブを備え、該第１のタブは該第１の内側サイドパネルに対して内方に延在し、該第２のタブは該第２の内側サイドパネルから該第３のパネルまで延在している、カートン。
【請求項２】
前記第１のタブの縁部は前記第１の折り線のそれぞれの端部から延びている、請求項１に記載のカートン。
【請求項３】
前記第１のタブは、前記第１の内側サイドパネルに対して前記第１の折り線から内方に延在する、請求項２に記載のカートン。
【請求項４】
前記複数のパネルは、前記第１のパネルに略対向して配置される第４のパネルを含み、前記第１の内側フラップ、前記第１のタブ、前記第２の内側フラップ及び前記第２のタブは、少なくとも部分的に前記第４のパネルと対面接触する、請求項２に記載のカートン。
【請求項５】
前記インサートは、前記第１の内側フラップから前記第１の折り線を遮るように延在し前記第１のタブと異なる形状の第３のタブ及び前記第２の内側フラップから前記第２の折り線を遮るように延在し前記第２のタブと異なる形状の第４のタブを有する、請求項２に記載のカートン。
【請求項６】
前記第２の内側フラップの少なくとも一部は、前記第２の内側サイドパネルに対して内方に延在する、請求項１に記載のカートン。
【請求項７】
前記第１の内側フラップは、前記第１のタブに対向して配置される第１の外縁を有し、前記第２のタブは第２の外縁を有し、前記第１の外縁及び前記第２の外縁は、前記第２のパネル及び前記第３のパネルのそれぞれに係合する、請求項１に記載のカートン。
【請求項８】
前記複数のパネルは、前記第１のパネルに略対向して配置される第４のパネルを更に含み、前記第１の内側フラップ及び前記第２の内側フラップのそれぞれは、少なくとも部分的に前記第４のパネルと対面接触して配置される、請求項１に記載のカートン。
【請求項９】
前記複数のパネルは、前記第１のパネルに略対向して配置される第４のパネルを更に備え、前記カートンは、前記物品が、前記第４のパネルと、前記中央パネルと、前記第１の内側サイドパネルと、前記第２の内側サイドパネルとによって少なくとも部分的に保持されるように、前記物品を少なくとも部分的に受け入れるものである、請求項１に記載のカートン。
【請求項１０】
前記中央パネルは、少なくとも部分的に前記第１のパネルと対面接触する、請求項８に記載のカートン。
【請求項１１】
前記第１の内側フラップの外縁は、前記第２のパネルに隣接して配置される、請求項１に記載のカートン。
【請求項１２】
前記カートンは、前記複数のパネルのそれぞれのパネルに折り曲げ可能に接続されている少なくとも１つの端部フラップを更に備え、前記少なくとも１つの端部フラップは、前記カートンの少なくとも部分的に閉鎖した端部を少なくとも部分的に形成する、請求項１に記載のカートン。
【請求項１３】
前記カートンは、前記物品が、前記カートンの前記閉鎖した端部と、前記中央パネルと、前記第１の内側サイドパネルとによって少なくとも部分的に保持されるように、前記物品を少なくとも部分的に受け入れるものである、請求項１２に記載のカートン。
【請求項１４】
前記第１のパネルは、第４の折り線に沿って前記第２のパネルに折り曲げ可能に接続されており、前記第１の内側フラップは、第３の折り線に沿って前記第２のパネルに折り曲げ可能に接続されている、請求項１に記載のカートン。
【請求項１５】
物品を保持するカートンを形成するカートンブランクとインサートブランクとの組合せであって、
前記カートンブランクは、第１のパネルと、第２のパネルと、該カートンブランク及び該インサートブランクから該カートンが形成されると、該第２のパネルに対向して配置される第３のパネルとを含む複数のパネルを備え、
前記インサートブランクは、中央パネルと、前記中央パネルに折り曲げ可能に接続されている第１の内側サイドパネルと、第１の折り線に沿って前記第１の内側サイドパネルに折り曲げ可能に接続されている第１の内側フラップと、前記中央パネルに折り曲げ可能に接続されている第２の内側サイドパネルと、第２の折り線に沿って前記第２の内側サイドパネルに折り曲げ可能に接続されている第２の内側フラップとを備え、
前記カートンブランク及び前記インサートブランクから前記カートンが形成されると、前記第１のパネルは前記中央パネルに少なくとも部分的に重なるものであり、前記第１の内側サイドパネルは前記第２のパネルから離間するものであり、前記第１の内側フラップの少なくとも一部は、前記カートンブランク及び前記インサートブランクから前記カートンが形成されると、前記第１の内側サイドパネルから前記第２のパネルまで延在し、
該第１の内側フラップは該第１の折り線を遮る第１のタブを備え、該第２の内側フラップは該第２の折り線を遮る第２のタブを備え、該カートンブランク及び該インサートブランクから該カートンが形成されると、該第１のタブは該第１の内側サイドパネルに対して内方に延在し、該カートンブランク及び該インサートブランクから該カートンが形成されると、該第２のタブは該第２の内側サイドパネルから該第３のパネルまで延在する、カートンブランクとインサートブランクとの組合せ。
【請求項１６】
前記第１のタブは、前記第１の折り線のそれぞれの端部から延びる切れ目線によって少なくとも部分的に画定される、請求項１５に記載の組合せ。
【請求項１７】
前記第１のタブは、前記切れ目線に沿って前記第１の内側サイドパネルから少なくとも部分的に分離可能である、請求項１６に記載の組合せ。
【請求項１８】
前記複数のパネルは、前記カートンブランク及び前記インサートブランクから前記カートンが形成されると、前記第１のパネルに略対向して配置されるものである第４のパネルを含み、前記第１の内側フラップ及び前記第１のタブは、前記カートンブランク及び前記インサートブランクから前記カートンが形成されると、少なくとも部分的に前記第４のパネルと対面接触して配置されるものである、請求項１６に記載の組合せ。
【請求項１９】
前記インサートブランクは、前記第１の内側フラップから前記第１の折り線を遮るように延在し前記第１のタブと異なる形状の第３のタブ及び前記第２の内側フラップから前記第２の折り線を遮るように延在し前記第２のタブと異なる形状の第４のタブを有する、請求項１６に記載の組合せ。
【請求項２０】
前記第１のタブは、前記第１の折り線のそれぞれの端部から延びる第１の切れ目線に沿って前記第１の内側サイドパネルから少なくとも部分的に分離可能であり、前記第２のタブは、前記第２の折り線のそれぞれの端部から延びる第２の切れ目線に沿って前記第２の内側サイドパネルから少なくとも部分的に分離可能である、請求項１５に記載の組合せ。
【請求項２１】
前記複数のパネルは、前記カートンブランク及び前記インサートブランクから前記カートンが形成されると、前記第１のパネルに略対向して配置されるものである第４のパネルを更に含み、前記第１の内側フラップ及び前記第２の内側フラップのそれぞれは、前記カートンブランク及び前記インサートブランクから前記カートンが形成されると、少なくとも部分的に前記第４のパネルと対面接触して配置されるものである、請求項１５に記載の組合せ。
【請求項２２】
前記組合せは、前記複数のパネルのうちのそれぞれのパネルに折り曲げ可能に接続されている少なくとも１つの端部フラップを更に備え、前記少なくとも１つの端部フラップは、前記カートンブランク及び前記インサートブランクから形成される前記カートンの少なくとも部分的に閉鎖した端部を少なくとも部分的に形成するものである、請求項１５に記載の組合せ。
【請求項２３】
前記第１のパネルは、第３の折り線に沿って前記第２のパネルに折り曲げ可能に接続されており、前記中央パネルは、第４の折り線に沿って前記第１の内側サイドパネルに折り曲げ可能に接続されている、請求項１５に記載の組合せ。
【請求項２４】
物品を保持するカートンを形成するブランクであって、前記ブランクは、
第１のパネル及び第２のパネルと、該ブランクから該カートンが形成されると、該第２のパネルに対向して配置されるようにされている第３のパネルとを含む複数のパネルを備える第１の部分と、
中央パネルと、前記中央パネルに折り曲げ可能に接続されている第１の内側サイドパネルと、第１の折り線に沿って前記第１の内側サイドパネルに折り曲げ可能に接続されている第１の内側フラップと、前記中央パネルに折り曲げ可能に接続されている第２の内側サイドパネルと、第２の折り線に沿って前記第２の内側サイドパネルに折り曲げ可能に接続されている第２の内側フラップとを備え、前記ブランクから形成される前記カートンにおいて内側スペーサー機能部を形成する第２の部分と、を備え、
前記第１のパネルは、前記ブランクから前記カートンが形成されると、少なくとも部分的に前記中央パネルに重なるものであり、前記第１の内側サイドパネルは、前記第２のパネルから離間するものであり、前記第１の内側フラップの少なくとも一部は、前記ブランクから前記カートンが形成されると、前記第１の内側サイドパネルから前記第２のパネルまで延在するものであり、
該第１の内側フラップは該第１の折り線を遮る第１のタブを備え、該第２の内側フラップは該第２の折り線を遮る第２のタブを備え、前記ブランクから前記カートンが形成されると、該第１のタブは該第１の内側サイドパネルに対して内方に延在するようにされており、前記ブランクから前記カートンが形成されると、該第２のタブは該第２の内側サイドパネルから該第３のパネルまで延在する、ブランク。
【請求項２５】
前記第１の内側フラップは、第３の折り線に沿って前記第２のパネルに折り曲げ可能に接続されている、請求項２４に記載のブランク。
【請求項２６】
前記第１のパネルは、第４の折り線に沿って前記第２のパネルに折り曲げ可能に接続されており、前記第２のパネルは、第３の折り線に沿って前記第１の内側フラップに折り曲げ可能に接続されている、請求項２４に記載のブランク。
【請求項２７】
前記第３のパネルは、第５の折り線に沿って前記第１のパネルに折り曲げ可能に接続されており、前記複数のパネルは、第６の折り線に沿って前記第３のパネルに折り曲げ可能に接続されている第４のパネルとを更に含む、請求項２６に記載のブランク。
【請求項２８】
前記中央パネルは、第７の折り線に沿って前記第１の内側サイドパネルに折り曲げ可能に接続されている、請求項２６に記載のブランク。
【請求項２９】
前記第１の内側フラップは、第３の折り線に沿って前記第２のパネルに折り曲げ可能に接続されており、前記第１の内側フラップは、前記第１の折り線を遮るように延在し前記第１のタブと異なる形状の第３のタブを有し、該第１のタブ及び該第３のタブの各々は、それぞれの切れ目線に沿って前記第１の内側サイドパネルから少なくとも部分的に分離可能であり、前記第２の内側フラップは前記第２の折り線を遮るように延在し前記第２のタブと異なる形状の第４のタブを備え、該第２のタブ及び該第４のタブの各々は、それぞれの切れ目線に沿って前記第２の内側サイドパネルから少なくとも部分的に分離可能である、請求項２４に記載のブランク。
【請求項３０】
物品を保持するカートンを形成する方法であって、前記方法は、
第１のパネル、第２のパネル及び第３のパネルを含む複数のパネルを備えるカートンブランクと、中央パネル、前記中央パネルに折り曲げ可能に接続されている第１の内側サイドパネル、第１の折り線に沿って前記第１の内側サイドパネルに折り曲げ可能に接続されている第１の内側フラップ、前記中央パネルに折り曲げ可能に接続されている第２の内側サイドパネル、第２の折り線に沿って前記第２の内側サイドパネルに折り曲げ可能に接続されている第２の内側フラップを備え、該第１の内側フラップは該第１の折り線を遮る第１のタブを有し、該第２の内側フラップは該第２の折り線を遮る第２のタブを有するインサートブランクとを得ることと、
該第３のパネルが該第２のパネルに対向するようにして、端部の開いたスリーブを形成することを含む、前記カートンブランクの前記複数のパネルによって少なくとも部分的に画定される前記カートンの内部を形成することと、
前記インサートブランクからインサートを形成することと、を含み、
前記第１のパネルは、少なくとも部分的に前記中央パネルに重なり、前記第１の内側サイドパネルは前記第２のパネルから離間し、前記第１の内側フラップの少なくとも一部は、前記第１の内側サイドパネルから前記第２のパネルまで延在し、該第１のタブは該第１の内側サイドパネルに対して内方に延在し、該第２のタブは該第２の内側サイドパネルから該第３のパネルまで延在している、方法。
【請求項３１】
前記インサートを形成することは、前記中央パネルに対して前記第１の内側サイドパネル及び前記第２の内側サイドパネルを折り曲げることと、前記第１の内側サイドパネルに対して前記第１の内側フラップを折り曲げることと、前記第２の内側サイドパネルに対して前記第２の内側フラップを折り曲げることと、前記カートンの前記内部に前記インサートを位置決めすることとを含む、請求項３０に記載の方法。
【請求項３２】
前記複数のパネルは第４のパネルを更に含み、前記方法は、前記第１の内側フラップ及び前記第２の内側フラップを前記第４のパネルに少なくとも部分的に取り付けることを更に含み、前記端部の開いたスリーブを形成することは、前記第４のパネルを前記第１のパネルに略対向するように位置決めすることを含み、前記インサートを形成することは、前記端部の開いたスリーブが形成されるように、前記第１の内側フラップと、前記第１の内側サイドパネルと、前記第２の内側フラップと、前記第２の内側サイドパネルと、前記中央パネルとを互いに対して折り曲げることを含む、請求項３０に記載の方法。
【請求項３３】
前記端部の開いたスリーブを形成することは、前記第１のパネルを少なくとも部分的に前記中央パネルと対面接触して位置決めするように前記カートンブランクを折り曲げることと、前記第１のパネルを前記中央パネルに少なくとも部分的に取り付けることと、前記中央パネル及び前記第１のパネルを前記第１の内側フラップ及び前記第４のパネルに略対向して位置決めするように、前記インサートブランク及び前記カートンブランクを折り曲げることとを含む、請求項３２に記載の方法。
【請求項３４】
物品を保持するカートンであって、前記カートンは、
第１のパネルと、第２のパネルと、該第２のパネルに対向して配置されている第３のパネルと、第４のパネルとを含み、前記カートンの内部を少なくとも部分的に画成する複数のパネルと、
中央パネルと、前記中央パネルに折り曲げ可能に接続されている第１の内側サイドパネルと、第１の折り線に沿って前記第１の内側サイドパネルに折り曲げ可能に接続されている第１の内側フラップと、前記中央パネルに折り曲げ可能に接続されている第２の内側サイドパネルと、第２の折り線に沿って前記第２の内側サイドパネルに折り曲げ可能に接続されている第２の内側フラップとを備えるインサートと、を備え、
前記中央パネルは前記第１のパネルに少なくとも部分的に固定され、前記第１の内側サイドパネルは前記第２のパネルから離間し、前記第１の内側フラップは、前記第２のパネルに近接して前記第４のパネルに少なくとも部分的に固定され、前記第２の内側フラップは、前記第３のパネルに近接して前記第４のパネルに少なくとも部分的に固定され、該第１の内側フラップは該第１の折り線を遮る第１のタブを備え、該第２の内側フラップは該第２の折り線を遮る第２のタブを備え、該第１のタブは該第１の内側サイドパネルに対して内方に延在し、該第２のタブは該第２の内側サイドパネルから該第３のパネルまで延在している、カートン。
【請求項３５】
前記第２のパネルは、前記第１のパネルから前記第４のパネルまで伸張し、前記第４のパネルは、前記第１のパネルに対向して配置される、請求項３４に記載のカートン。
【請求項３６】
前記第１の内側フラップの一部は、前記第１の内側サイドパネルから前記第２のパネルまで延在する、請求項３５に記載のカートン。
【請求項３７】
前記第２の内側サイドパネルは前記第３のパネルから離間している、請求項３４に記載のカートン。
【請求項３８】
前記第１の内側フラップは前記第１の折り線を遮るように延在し前記第１のタブと異なる形状の第３のタブを有し、前記第２の内側フラップは前記第２の折り線を遮るように延在し前記第２タブと異なる形状の第４のタブを有する、請求項３７に記載のカートン。
【発明の詳細な説明】
【技術分野】
【０００１】
［関連出願の相互参照］
本願は、２０１４年３月１１日に出願された米国仮特許出願第６１／９６７１３３号の利益を主張する。
【０００２】
［参照による援用］
２０１４年３月１１日に出願された米国仮特許出願第６１／９６７１３３号の開示は、それらの全体が本明細書に提示されているかのように、全ての目的で引用することにより本明細書の一部をなす。
【背景技術】
【０００３】
本開示は、包括的には、飲料容器又は他のタイプの物品を保持するカートンに関する。本開示は、より詳細には、インサートを有するカートンに関する。
【発明の概要】
【０００４】
包括的には、本開示の１つの態様は、物品を保持するカートンに関する。カートンは、少なくとも部分的にカートンの内側の周囲に延在する複数のパネルを備えることができる。複数のパネルは、第１のパネル及び第２のパネルを含むことができる。インサートは、中央パネルと、中央パネルに折り曲げ可能につながっている内側サイドパネルと、内側サイドパネルに折り曲げ可能につながっている内側フラップとを備えることができる。第１のパネルは中央パネルに少なくとも部分的に重なることができ、内側サイドパネルは第２のパネルから離間していることができ、内側フラップの少なくとも一部は、内側サイドパネルから第２のパネルまで延在することができる。
【０００５】
別の態様において、本開示は包括的には、カートンを形成するカートンブランクと、物品を保持するカートン内に少なくとも部分的に配置されるインサートを形成するインサートブランクとの組合せに関する。カートンブランクは、第１のパネル及び第２のパネルを含む複数のパネルを備えることができる。インサートブランクは、中央パネルと、中央パネルに折り曲げ可能につながっている内側サイドパネルと、内側サイドパネルに折り曲げ可能につながっている内側フラップとを備えることができる。第１のパネルは、カートンブランク及びインサートブランクからカートンが形成されると、中央パネルに少なくとも部分的に重なるものとすることができる。内側サイドパネルは第２のパネルから離間していることができ、内側フラップの少なくとも一部は、カートンブランク及びインサートブランクからカートン及びインサートが形成されると、内側サイドパネルから第２のパネルまで延在するものとすることができる。
【０００６】
別の態様において、本開示は包括的には、物品を保持するカートンを形成するブランクに関する。ブランクは、第１のパネル及び第２のパネルを含む複数のパネルを備える第１の部分を有することができる。ブランクは、ブランクから形成されるカートンにおける内側スペーサー機能部を形成する第２の部分を更に有することができる。第２の部分は、中央パネルと、中央パネルに折り曲げ可能につながっている内側サイドパネルと、内側サイドパネルに折り曲げ可能につながっている内側フラップとを備えることができる。第１のパネルは、ブランクからカートンが形成されると、中央パネルに少なくとも部分的に重なるものとすることができる。内側サイドパネルは第２のパネルから離間しているものとすることができ、内側フラップの少なくとも一部は、ブランクからカートンが形成されると内側サイドパネルから第２のパネルまで延在するものとすることができる。
【０００７】
別の態様において、本開示は包括的には、物品を保持するカートンを形成する方法に関する。本方法は、カートンブランク及びインサートブランクを得ることを含むことができる。カートンブランクは、第１のパネル及び第２のパネルを含む複数のパネルを備えることができ、インサートブランクは、中央パネルと、中央パネルに折り曲げ可能につながっている内側サイドパネルと、内側サイドパネルに折り曲げ可能につながっている内側フラップとを備えることができる。本方法は、カートンブランクの複数のパネルによって少なくとも部分的に画定されるカートンの内部を形成することを更に含むことができる。カートンの内部を形成することは、端部の開いたスリーブを形成することを含むことができる。本方法はまた、インサートブランクからインサートを形成することを含むことができる。第１のパネルは中央パネルに少なくとも部分的に重なることができ、内側サイドパネルは外側サイドパネルから離間していることができ、内側フラップの少なくとも一部は、内側サイドパネルから外側サイドパネルに延在することができる。
【０００８】
別の態様において、本開示は包括的には、物品を保持するカートンに関する。カートンは、少なくとも部分的にカートンの内側の周囲に延在する複数のパネルを備えることができ、複数のパネルは、第１のパネルと、第２のパネルと、第３のパネルとを含む。インサートは、中央パネルと、中央パネルに折り曲げ可能につながっている内側サイドパネルと、内側サイドパネルに折り曲げ可能につながっている内側フラップとを備えることができる。中央パネルは第１のパネルに少なくとも部分的に固定することができ、内側サイドパネルは第２のパネルから離間していることができ、内側フラップは第３のパネルに少なくとも部分的に固定することができる。
【０００９】
当業者は、以下に列挙した図面を参照して実施形態の以下の詳細な説明を読むことによって、上記の利点、並びに種々の更なる実施形態の他の利点及び利益を理解するであろう。個々に、また様々な組合せで与えられる上述の態様が本開示の範囲内にある。
【００１０】
慣例によれば、以下で説明する図面の種々の特徴は、必ずしも一定の縮尺比で描かれているとは限らない。図面における種々の特徴及び要素の寸法は、本開示の実施形態をより明確に示すために拡大又は縮小されている場合がある。
【図面の簡単な説明】
【００１１】
【図１】本開示の第１の例示的な実施形態に係るカートンを形成するのに用いられるカートンブランクの平面図である。
【図２】本開示の第１の例示的な実施形態に係るインサートブランクの平面図である。
【図３】本開示の第１の例示的な実施形態に係る、部分的に形成されたカートン及びインサートの斜視図である。
【図４】本開示の第１の例示的な実施形態に係る、部分的に形成されたカートン及びインサートの斜視図である。
【図５Ａ】本開示の第１の例示的な実施形態に係る、インサート及び物品を仮想線で示す、部分的に形成されたカートンの側面図である。
【図５Ｂ】カートンの内部にあるインサート及び物品を示す図５Ａの部分的に形成されたカートンの上面斜視図である。
【図６Ａ】本開示の第１の例示的な実施形態に係る組み立てられたカートンの斜視図である。
【図６Ｂ】本開示の第１の例示的な実施形態に係る組み立てられたカートンの斜視図である。
【図７】本開示の第２の例示的な実施形態に係るインサートブランクの平面図である。
【図８】本開示の代替的な一実施形態に係るインサートブランクの平面図である。
【図９】本開示の第３の例示的な実施形態に係るカートンを形成するのに用いるブランクの平面図である。
【発明を実施するための形態】
【００１２】
対応する部分は、図面を通して対応する参照符号によって示されている。
【００１３】
本開示は、包括的には、容器、瓶、缶等のような１つ又は複数の物品を収容するカートンに関する。それらの物品は、例えば、食品及び飲料製品を包装するのに用いることができる。これらの物品は、特定の食品又は飲料品を包装するのに適した組成の材料から作ることができ、材料として、アルミニウム及び／又は他の金属、ガラス、アセプティックブリック、板紙、ＰＥＴ、ＬＤＰＥ、ＬＬＤＰＥ、ＨＤＰＥ、ＰＰ、ＰＳ、ＰＶＣ、ＥＶＯＨ、及びナイロン等のプラスチック等、又はそれらの任意の組み合わせが挙げられるが、これらに限定されない。
【００１４】
本開示に係るカートンは、任意の形状の物品を収容することができる。本開示の範囲を限定するためではなく説明のために、以下の詳細な説明では、カートンの実施形態内に配置されるような飲料容器（例えばガラスボトル）について記載する。本明細書において、「内側」、「内部」、「外側」、「外部」、「フロント」、「バック」、「下側」、「ボトム／底」、「上側」、及び「トップ／頂」という用語は、完全に組み立てられて直立したカートンに関して定められる向きを示す。
【００１５】
図１は、本開示の第１の例示的な実施形態に係るカートン５（図６Ａ及び図６Ｂ）を形成するのに用いる、全体として３で示されるカートンブランクの内側１の平面図である。カートン５は、容器Ｃ（図５Ａ及び図５Ｂ）等の物品を収容するのに用いることができる。１つの実施形態において、容器Ｃは一般的に、ボトル（例えば、ワインボトル又は酒瓶）とすることができる。代替的には、物品は任意の好適な形状及び／又はサイズとすることができる。図示の実施形態では、カートン５は１つの容器Ｃを収容するサイズであるが、カートン５は、異なる又は同じ数量の容器を２つ以上の層に及び／又は異なる行／列構成（例えば、１×２、２×２、１×６、３×６、２×６×２、３×５、４×５、２×９、２×６、４×４等）で保持するようなサイズ及び形状とすることができることが理解される。図示の実施形態では、カートン５はスペーサーインサート１２（図４）を備え、スペーサーインサート１２は、カートン内の容器を補強及び安定させるとともに、カートンの内部の中央部に、カートンの側面から離間した状態で容器を保持するのを助けることができる。
【００１６】
カートンブランク３は縦軸Ｌ１及び横軸Ｌ２を有する。カートンブランク３は、図１に示されているように横方向中心線ＣＴを有することができる。図示の実施形態では、ブランク３は、第１の縦方向折り線１９において第１のサイドパネル１７に折り曲げ可能につながっているバックパネル１５を備える。フロントパネル２１は、第２の縦方向折り線２３において第１のサイドパネル１７に折り曲げ可能につながっている。第２のサイドパネル２５は、第３の縦方向折り線２７においてバックパネル１５に折り曲げ可能につながっている。取付フラップ２９は、第４の縦方向折り線３１に沿ってバックパネル２１に折り曲げ可能につながっている。フロントパネル１５、バックパネル２１、第１のサイドパネル１７及び第２のサイドパネル２５、並びに取付フラップ２９のうちの任意のものを、本開示から逸脱することなく、省くことができるか又は別様の形状、構成、配置、及び／又は形態とすることができる。例えば、取付フラップ２９は第２のサイドパネル２５に折り曲げ可能につながっていることができる。代替的な一実施形態において、取付フラップ２９は省くことができ、ブランクは、カートンが形成されると重なる２つのパネル（例えば、２つのフロントパネル）を有することができる。
【００１７】
バックパネル１５は、第１のトップ端部フラップ３３及び第１のボトム端部フラップ３５に折り曲げ可能につながっている。第１のサイドパネル１７は、第２のトップ端部フラップ３７及び第２のボトム端部フラップ３９に折り曲げ可能につながっている。第２のサイドパネル２５は、第３のトップ端部フラップ４１及び第３のボトム端部フラップ４３に折り曲げ可能につながっている。フロントパネル２１は第４のボトム端部フラップ４５に折り曲げ可能につながっている。図示の実施形態では、差込フラップ４７は、横方向折り線４８に沿って第１のトップパネル３３に折り曲げ可能につながっていることができる。カートン５が組み立てられると、トップ端部フラップ３３、３７、４１はカートンの頂端部７を閉鎖し、ボトム端部フラップ３５、３９、４３、４５はカートンの底端部９を閉鎖する。本開示の代替的な一実施形態によれば、カートン５の端部７、９を少なくとも部分的に閉鎖するのに、異なるフラップ構成を用いることができる。
【００１８】
１つの実施形態において、トップ端部フラップ３３、３７、４１は、ブランク３の第１の辺縁領域に沿って延在するとともに、ブランクの幅に沿って延びる第１の横方向折り線６２において折り曲げ可能につながっている。図示の実施形態では、ボトム端部フラップ３５、３９、４３、４５は、ブランク３の第２の辺縁領域に沿って延在するとともに、同様にブランクの幅に沿って延びる第２の横方向折り線６４において折り曲げ可能につながっている。横方向折り線６２、６４は、例えば、略直線状であるか、又はブランクの厚さ若しくは他の要因のために１つ又は複数の場所においてずれていてもよい。横方向折り線６２、６４は、本開示から逸脱することなく、省くことができるか又は別様の形状、構成、配置、及び／又は形態とすることができる。
【００１９】
図２は、インサートブランク１０３の内面１０１を示しており、インサートブランク１０３は、本開示の例示的な実施形態に係るカートン５に用いるスペーサーインサート１２（図４、図５Ａ、及び図５Ｂ）を形成するのに用いられる。インサートブランク１０３は、任意の好適な材料（例えば、段ボール、板紙、及び／又は他の材料）とすることができる。１つの実施形態において、インサートブランク１０３は、カートンブランク３とは異なる材料とすることができる。例えば、インサートブランクの材料は、より安価でコーティングも印刷もされていない板紙とすることができ、カートンブランクの材料は、少なくとも片面にコーティング及び／又は印刷がされた比較的より高価な板紙とすることができる。インサートブランクの材料及びカートンブランクの材料は、本開示から逸脱することなく他の好適な材料とすることができる。さらに、インサートブランクの材料及びカートンブランクの材料は、本開示から逸脱することなく同じ材料とすることができる。
【００２０】
図２に示されているように、インサートブランクは、縦軸Ｌ１及び横軸Ｌ２を有する。図示の実施形態において、インサートブランク１０３は、中央パネル１０７と、縦方向折り線１１１に沿って中央パネル１０７に折り曲げ可能につながっている第１の内側サイドパネル１０９と、縦方向折り線１１５に沿って中央パネル１０７に折り曲げ可能につながっている第２の内側サイドパネル１１３とを備える。図示の実施形態では、第１の内側フラップ又は端部フラップ１２７は、縦方向折り線１２９に沿って第１の内側サイドパネル１０９に折り曲げ可能につながっており、第２の内側フラップ又は端部フラップ１３１は、縦方向折り線１３３に沿って第２の内側サイドパネル１１３に折り曲げ可能につながっている。図２に示されているように、第１の端部フラップ１２７は、縦方向折り線１２９を中断する複数のタブ１３５を有する。タブ１３５は、それぞれの引き裂き線又は切れ目線１３７（例えば、略Ｕ字形の切れ目線）に沿って第１の内側サイドパネル１０９から分離可能とすることができる。同様に、第２の底部フラップ１３１は、縦方向折り線１３３を中断する複数のタブ１３９を有する。タブ１３９は、それぞれの引き裂き線又は切れ目線１４１（例えば、略Ｕ字形の切れ目線）に沿って第２の内側サイドパネル１１３から分離可能とすることができる。図示の実施形態では、端部フラップ１２７、１３１の端部にあるタブ１３５、１３９は、通常、端部フラップ１２７、１３１の真中部分に沿って延在するタブよりも短い。代替的な一実施形態において、インサートブランク１０３は、任意の好適な数のタブ１３５、１３９を有することができる。インサートブランク１０３は、本開示から逸脱することなく、省くことができるか又は別様の形状、構成、配置、及び／又は形態とすることができる。例えば、タブ１３５、１３９のうちの１つ又は複数は、開口又は他の機能部によって置き換えることができる。
【００２１】
図３及び図４に示されているように、１つの例示的な実施形態において、カートン５及びインサート１２は、カートンブランク３及びインサートブランク１０３から組み立てることができる。図示の実施形態では、カートン５は、縦方向折り線１９、２３、２７、３１に沿ってパネル１５、１７、２１、２５を折り曲げ、取付フラップ２９を第２のサイドパネル２５の内面に取り付ける（例えば糊付けする）ことによって形成し、端部の開いたスリーブ１５０を形成することができる（図３及び図４）。１つの実施形態において、糊付けされた取付フラップ２９及びサイドパネル２５は、スリーブ１５０及びカートン５において第２のサイドパネルを形成するように概して協働することができる。スリーブ１５０は、図３に示されているように折り畳むことができるか、又は、図４に示されているように、バックパネル１５に対向して配置されているフロントパネル２１と、互いに対向して配置されているサイドパネル１７、１５とによって内部１５２を形成するように開放することができる。スリーブ１５０は、本開示から逸脱することなく別様に形成することができる。
【００２２】
１つの実施形態において、インサート１２は、縦方向折り線１１１、１１５、１２９、１３３に沿ってインサートブランク１０３を折り曲げることによって形成することができ、それにより、内側サイドパネル１０９、１１３は中央パネル１０７に対して略垂直に延在し、端部フラップ１２７、１３１は内側サイドパネル１０９、１１３（図４）に対して略垂直に延在する。１つの実施形態において、図４に示されているように、端部フラップ１２７は、タブ１３５が内方に延在するように折り線１２９に沿って折り曲げることができ、また、端部フラップ１３１は、タブ１３９が外方に延在するように折り線１３３に沿って折り曲げることができる。図４に示されているように、インサート１２は、端部フラップ１２７、１３１がフロントパネル２１と対面接触するとともに中央パネル１０７がバックパネル１５と対面接触するように、スリーブ１５０内に挿入することができる。１つの実施形態において、端部フラップ１２７、１３１は、フロントパネル２１に少なくとも部分的に糊付けすることができ、及び／又は、中央パネル１０７は、バックパネル１５に少なくとも部分的に糊付けすることができ、端部の開いたスリーブ１５０及びカートン５の内部１５２にインサート１２を固定するのを助けることができる。代替的な一実施形態において、インサート１２は別の向きにすることができ（例えば、端部フラップ１２７、１３１がバックパネル１５又はサイドパネル１７、２５のうちの一方と対面接触する）、及び／又は、端部フラップ１２７、１３１及び／又は中央パネル１０７は、パネル１５、１７、２１、２５から離間していることができる。
【００２３】
１つの実施形態において、インサート１２は、端部の開いたスリーブ１５０とともに形成することができる（例えば、端部フラップ１２７、１３１は、ブランク３のフロントパネル２１と対面接触して糊付けすることができるか、又は、中央パネル１０７は、バックパネル１５と対面接触して糊付けすることができ、スリーブ１５０はインサート１２の回りに形成することができる）。例えば、端部フラップ１２７、１３１はブランク３のフロントパネル２１に糊付けすることができ、ブランクは、縦方向折り線１９、２３、２７、３１に沿って折り曲げて、バックパネル１５を中央パネル１０７と重ね合わせの関係で位置決めすることができる。１つの実施形態において、中央パネル１０７はバックパネル１５に糊付けされる。取付フラップ２９は、第２のサイドパネル２５の内面に糊付けし、端部の開いたスリーブ１５０（図３及び図４）を形成することができる。端部の開いたスリーブ１５０及び／又はインサート１２は、本開示から逸脱することなく別様に形成することができる。
【００２４】
図４、図５Ａ、及び図５Ｂに示されているように、内側サイドパネル１０９、１１３はサイドパネル１７、２５から離間していることができる。例えば、内側サイドパネル１０９は、サイドパネル１７から距離Ｄ１（例えば、概ね折り線１２９と端部フラップ１２７の外縁１４３との間の距離）だけ離間していることができ、内側サイドパネル１１３は、サイドパネル２５から距離Ｄ２（例えば、概ね折り線１３３とタブ１３９の外縁１４５との間の距離）だけ離間していることができる。図示の実施形態では、距離Ｄ１、Ｄ２は略等しい。代替的には、距離Ｄ１、Ｄ２は異なることができる。図４に示されているように、端部フラップ１２７の外縁１４３は、サイドパネル１７に隣接して配置することができ、タブ１３９の外縁１４５は、サイドパネル２５（例えば、サイドパネル２５と取付フラップ２９との組合せ）に隣接して配置することができ、内側サイドパネル１０９、１１３はサイドパネル１７、２５と略平行とすることができる。代替的な一実施形態において、外縁１４３、１４５はサイドパネル１７、２５から離間していることができ、及び／又は、内側サイドパネル１０９、１１３は、サイドパネル１７、２５及び／又は中央パネル１０７に対して斜めにすることができる。インサート１２は、本開示の範囲から逸脱することなく、別様に形成する及び／又はスリーブ１５０内に挿入することができる。
【００２５】
図３に示されているように、スリーブ１５０及びインサート１２は、例えば、折り線１９、２３、２７、３１に沿ってスリーブ１５０を、また、折り線１１１、１１５、１２９、１３３に沿ってインサート１２を折り曲げることによって、平坦形状に潰すことができる。平坦形状は、カートン５の保管及び／又は輸送に好都合であり得る。折り線１９、２３、２７、３１、１１１、１１５、１２９、１３３に沿って端部の開いたスリーブ１５０を折り曲げて図４の開放形態にし、底端部９を閉鎖することによって、カートン５に容器Ｃを装填することができる（図５Ａ及び図６Ａ）。底端部９は、１つの実施形態において、折り線６４に沿ってボトム端部フラップ３５、３９、４３、４５を折り曲げ、ボトム端部フラップに重ねて相互係止することによって閉鎖することができる（図６Ａ）。１つの実施形態において、ボトム端部フラップはともに糊付けすることができる。図５Ａ及び図５Ｂに示されているように、容器Ｃは、開放した頂端部７を通してスリーブ１５０及びインサート１２の内部１５２に挿入することができる。したがって、図５Ａ及び図５Ｂに示されているように、容器Ｃは、少なくとも内側サイドパネル１０９、１１３と、中央パネル１０７と、フロントパネル２１と、閉鎖した底端部９とによって保持することができる。サイドパネル１７、２５は、内側サイドパネル１０９、１１３及び容器Ｃからそれぞれの距離Ｄ１、Ｄ２だけ離間している。
【００２６】
図６Ｂに示されているように、頂端部７は、折り線６２に沿ってトップ端部フラップ３７、４１を折り曲げるとともに、折り線６２に沿ってトップ端部フラップ３３を折り曲げて、トップ端部フラップ３７、４１に重ねることによって閉鎖することができる。図示の実施形態では、差込フラップ４７は、折り線４８に沿って折り曲げ、フロントパネル２１とトップ端部フラップ３７、４１との間においてスリーブ１５０の内部１５２に挿入することができる。本開示から逸脱することなく、他のステップによって、カートン５に装填することができ、及び／又は、端部７、９を閉鎖することができる。さらに、本開示から逸脱することなく、他の閉鎖及び装填シーケンスを用いることができる。
【００２７】
図示の実施形態に係る組み立てられたカートン５が、図５Ａ及び図５Ｂに示されている。外側カートンは容器よりも大きいが（例えば、サイドパネル１７、２５はボトルよりも幅広である）、インサート１２によりカートン５内に容器Ｃを保持することができる。したがって、例えば、インサート１２によりカートン５の内部１５２内に容器Ｃを保持しながら、容器よりも大きい外側カートンを、店舗の棚におけるより大きい存在感のため又は印刷される材料のためのより大きい表面積のために利用することができる。
【００２８】
図７は、本開示の第２の実施形態に係るインサート（図示せず）を形成するインサートブランク３０３の平面図である。第２の実施形態は、記載されている変更及び当業者には明らかとなる変更を除けば、第１の実施形態と略同様である。したがって、本実施形態の同様又は同一の機能部には、類似又は同様の参照符号が付されている。図７に示されているように、インサートブランク３０３は、インサートブランク３０３が僅かに異なる形状を有することを除けば、第１の実施形態のインサートブランク１０３と略同様である。例えば、第１の端部フラップ３２７は、第１の実施形態の第１の端部フラップ１２７とは異なる形状を有する。さらに、図７に示されているように、第２の端部フラップ３３１は、第２の端部フラップ３３１のタブ３３９がそれぞれの開口３４２に隣接して延在する（例えば、タブ３３９が開口３４２によって第２の内側サイドパネル１１３の一部から離間している）ことを除けば、第１の実施形態の第２の端部フラップ１３１と同様である。インサートブランク３０３は、本開示から逸脱することなく、別様の形状、構成、配置、及び／又は形態とすることができる。例えば、図８に示されている代替的な一実施形態において、インサートブランク３０３’は、端部フラップ３２７’、３３１’及び開口３４２’が、図７の端部フラップ３２７、３３１及び開口３４２とは概して異なる形状を有することができることを除けば、インサートブランク３０３と略同様とすることができる。
【００２９】
図９は、例示的な寸法を示す本開示の第３の実施形態に係る、一体的な離間機能部（図示せず）を有するカートンを形成するブランク４０３の平面図である。第３の実施形態は、記載されている変更及び当業者には明らかとなる変更を除けば、第１の実施形態と略同様である。したがって、本実施形態の同様又は同一の機能部には、類似又は同様の参照符号が付されている。図９に示されているように、ブランク４０３は、第１の（例えば外側）部分４０４及び第２の（例えば内側）部分４０６を有する。図示の実施形態では、外側部分４０４は、第１の実施形態のカートンブランク３と略同じであるが取付フラップ２９がない。したがって、外側部分４０４は、第１の実施形態の外側カートン５と同様の外側カートン（図示せず）を形成する。内側部分４０６は、第２の実施形態のインサートブランク３０３と略同じであり、外側部分４０４によって形成される外側カートンの内部において一体的な離間機能部（図示せず）を形成する。一体的な離間機能部は、第１の実施形態のインサート１２（例えば、図４、図５Ａ、及び図５Ｂ）と略同様とすることができる。図示の実施形態では、内側部分４０６の端部フラップ５２７は、縦方向折り線４４９に沿って外側部分４０４の第２のサイドパネル４２５に折り曲げ可能につながっている。１つの実施形態において、外側部分４０４はカートンブランクとみなすことができ、内側部分４０６はインサートブランクとみなすことができる。この場合、インサートブランクは、折り線（例えば折り線４４９）に沿ってカートンブランクに折り曲げ可能につながっている。ブランク４０３は、本開示から逸脱することなく、別様の形状、構成、及び／又は形態とすることができる。例えば、内側部分４０６は、代替的な一実施形態においてフロントパネル２１に折り曲げ可能につながっていることができる。
【００３０】
１つの実施形態において、一体的な離間機能部（図示せず）を有するカートンは、内側部分４０６が外側部分４０４と対面接触するように、縦方向折り線４４９に沿ってブランクを折り曲げることによって、ブランク４０３により形成することができる。１つの実施形態において、中央パネル１０７はバックパネル１５に糊付けすることができる。ブランクは、縦方向折り線１９、２３、２７、１１１、１１５、１２９、１３３に沿って折り曲げることができ、端部フラップ３３１、５２７は、フロントパネル２１と対面接触して糊付けし、外側部分４０４内に内側部分４０６が配置されている端部の開いたスリーブ（図示せず）を形成することができる。スリーブは、取付フラップ２９が省かれ、端部フラップ５２７が第２のサイドパネル４２５に折り曲げ可能につながっていることを除けば、図４に示されている第１の実施形態のスリーブ１５０と同様の見た目とすることができる。さらに、一体的な離間機能部は、図４に示されている第１の実施形態のインサート１２とは反対向きであり、そのため、内側サイドパネル１０９は第２のサイドパネル４２５に近接し、内側サイドパネル１１３は第１のサイドパネル１７に近接している。カートンは、第１の実施形態に記載して示されているように装填及び閉鎖することができる。カートンは、本開示から逸脱することなく、他のステップによって形成、装填、及び／又は閉鎖することができる。さらに、本開示から逸脱することなく、他の形成、閉鎖、及び／又は装填シーケンスを用いることができる。
【００３１】
本開示の範囲から逸脱することなく、本開示の種々の実施形態の任意の特徴を、本開示の他の実施形態の他の特徴と組み合わせるか、置き換えるか、又は別様にそれらの特徴を有して構成することができる。さらに、種々の実施形態の補強用インサート及びインサートブランクは、任意のカートン様式又はパネル形態を有するカートンに組み込むことができることに留意されたい。上述のカートン様式及びパネル形態は例として挙げられている。
【００３２】
本開示によるブランクは、例えば、コーティングされた板紙及び同様の材料から形成することができる。例えば、ブランクの内面及び／又は外面をクレーコートでコーティングすることができる。次に、クレーコート上に製品、広告、価格コード、及び他の情報又は画像を印刷してもよい。次に、ブランクに印刷されているあらゆる情報を保護するように、ブランクをワニスでコーティングすることができる。ブランクの片面又は両面を、例えば防湿層でコーティングすることもできる。上述の実施形態に応じて、ブランクは、通常の紙よりも重く硬質であるような厚さの板紙で作成してもよい。ブランクは、ボール紙、硬化紙等の他の材料、又はカートンが少なくとも概して本明細書で記載したように機能することができるようにするのに適した特性を有する任意の他の材料で作成することもできる。ブランクは、選択されたパネル又はパネルセクションに１つ又は複数のシート状材料を積層又はコーティングすることもできる。
【００３３】
本開示の上述の実施形態によれば、折り線は、それに沿った折り曲げを容易にする、必ずしも直線状ではないが実質的に線状の任意の弱化形態とすることができる。本開示の範囲を狭めるためではないが、より詳細には、折り線は、所望の弱化線に沿って材料に圧潰部分を作る鈍いスコアリングナイフ等で形成される線等のスコア線、所望の弱化線に沿って材料に部分的に入れ込んだ切れ目、及び／又は所望の弱化線に沿って材料に部分的に入れ込んだ一連の切れ目及び／又は材料を完全に貫通する一連の切れ目、並びにこれらの機能部の種々の組合せを含む。
【００３４】
一例として、引き裂き線は、所望の弱化線に沿って材料に部分的に入れ込んだスリット、及び／又は所望の弱化線に沿って材料に部分的に入れ込むか、及び／又は材料を完全に貫通する一連の離間したスリット、又はこれらの機能部の種々の組合せを含むことができる。より具体的な例としては、１つのタイプの引き裂き線は、材料を完全に貫通する一連の離間したスリットの形態であり、引き裂き線を挟んで材料を通常は一時的に連結するようニック（例えば、ブリッジにやや似た材料の小片）が間に画定されるように、僅かに離間させた隣接するスリットを有する。ニックは、引き裂き時に引き裂き線に沿って破断される。ニックは通常、引き裂き線において比較的僅かな割合を占めるものであり、代替的に、引き裂き線が連続した切れ目線であるように、ニックを引き裂き線から省くことができるか、又は引き裂き線上で破っておくことができる。すなわち、引き裂き線のそれぞれを連続したスリット等で置き換えることは、本開示の範囲内にある。例えば、本開示から逸脱することなく、切れ目線は、連続したスリットとすることができるか、又はスリットよりも幅広とすることができる。
【００３５】
上記実施形態は、カートンの実施形態を組み立てる間に糊によってともに接着される１つ又は複数のパネルを有するものとして説明することができる。「糊」という用語は、カートンパネルを適所に固定するのに一般的に用いられる全ての態様の接着剤を包含することが意図される。
【００３６】
本開示の前述の説明は、種々の実施形態を例示及び説明する。本開示の範囲から逸脱することなく、種々の変更を上記構成内でなし得るので、上記説明に含まれるか又は添付図面に示されている全ての事項が、限定的な意味ではなく例示として解釈されることが意図される。さらに、本開示の範囲は、特許請求の範囲の範囲内にある上述の実施形態の種々の変更形態、組合せ、変形形態等をカバーする。加えて、本開示は、本開示の選択された実施形態のみを図示及び説明しているが、本開示は、種々の他の組合せ、変更形態、及び環境で用いることが可能であり、本明細書で述べられているような発明概念の範囲内の変形若しくは変更、上記教示と同等の変形若しくは変更、及び／又は関連技術分野の技術若しくは知識内にある変形若しくは変更を行うことが可能である。さらに、各実施形態のいくつかの機能部及び特徴を、選択的に入れ替えて、本開示の他の説明された実施形態及び説明されていない実施形態に適用することができる。
【図１】
0006608840.tif 000002
【図２】
0006608840.tif 000003
【図３】
0006608840.tif 000004
【図４】
0006608840.tif 000005
【図５Ａ】
0006608840.tif 000006
【図５Ｂ】
0006608840.tif 000007
【図６Ａ】
0006608840.tif 000008
【図６Ｂ】
0006608840.tif 000009
【図７】
0006608840.tif 000010
【図８】
0006608840.tif 000011
【図９】
0006608840.tif 000012